(57)【要約】【課題】天面、側面及び底面が一体となった梱包箱の寸法を梱包材の大きさに合わせて小さくすることが出来、最低限のスペースで梱包箱を保管することが出来ると共に、梱包材の紛失をも防止可能とする。【解決手段】梱包材２の配設位置に合わせた位置に、谷側で折り曲げ可能な、第１罫線１１（１１Ａ１＋１１Ａ２）及び第２罫線１１（１１Ｂ１＋１１Ｂ２）を、長側壁３ａ，３ｂ及び外フラップ３１，３２に設ける。更に、第１罫線と第２罫線との間の中央位置に沿って、谷側で折り曲げ可能な第３罫線１１（１１Ｃ１＋１１Ｃ２）を、長側壁３ａ，３ｂ及び外フラップ３１，３２に設ける。予め外フラップ３１，３２を長側壁３ａ，３ｂの内側に折り込んだ上で全罫線１１を同時に谷側に折り曲げることで、梱包箱１は梱包材２の大きさに合わせて小さくなる。その後、内フラップ３３，３４を互いにテープ等で止める。【選択図】図２
2006096379.tif 000002
【特許請求の範囲】
【請求項１】
天面、底面及び側面が一体的に形成されており、且つ、梱包材で保護された製品を収容するための梱包箱であって、
前記天面及び前記底面の各々は外フラップ及び内フラップから成り、
前記側面中、前記外フラップと一体となった対向する２長側壁の各々と、各長側壁と一体となった天面用外フラップ及び底面用外フラップとには、
前記梱包材が前記梱包箱の中の所定位置に配置された際の、前記内フラップの一方から離れた側の前記梱包材の端部位置に沿って形成された第１罫線と、
前記梱包材が前記梱包箱の中の所定位置に配置された際の、前記内フラップの他方から離れた側の前記梱包材の端部位置に沿って形成された第２罫線と、
前記第１罫線と前記第２罫線との中央に沿って形成された第３罫線とが、
それぞれ配設されていることを特徴とする、
梱包箱。
【請求項２】
請求項１記載の梱包箱であって、
前記第１罫線及び前記第２罫線の各々は、対応する長側壁の裏面上と当該長側壁と一体となった天面用外フラップ及び底面用外フラップの各々の裏面上とに、一直線状に形成されており、
他方、前記第３罫線は、対応する長側壁の表面上と当該長側壁と一体となった天面用外フラップ及び底面用外フラップの各々の表面上とに、一直線状に形成されていることを特徴とする、
梱包箱。
【請求項３】
請求項１記載の梱包箱であって、
前記側面中、前記内フラップと一体となった対向する２短側壁の各々と、各短側壁と一体となった天面用内フラップ及び底面用内フラップとにも、
前記第１罫線に相当する罫線と、前記第２罫線に相当する罫線と、前記第３罫線に相当する罫線とが配設されていることを特徴とする、
梱包箱。
【発明の詳細な説明】
【技術分野】
【０００１】
本発明は、クッション等の梱包材で保護された被梱包物（製品）を梱包するための梱包箱の構造に関する。
【背景技術】
【０００２】
電子機器等の製品を出荷する際には、製品はクッション等の梱包材で保護された状態で梱包箱に収納されている。購入者は、梱包箱を開梱し製品を取り出した後、製品を輸送する時などの再利用のために、梱包材と梱包箱とを保管する場合が多い。
【０００３】
その場合、製品を取り出した後も、そのままの外観形状を維持させたまま梱包材を入れて梱包箱を保管しなければならず、無駄なスペースを要している。
【０００４】
そこで、改善策として、梱包箱の天面、底面および両側面を別部材にして、両側面および梱包材を天面および底面の梱包箱に収納する梱包箱が提案されている(例えば、特許文献１、２を参照)。
【０００５】
しかしながら、これらの公報に提案されている梱包箱は、天面、底面及び両側面が一体となった梱包箱には使用することが出来ないと言う、根本的な問題点がある。
【０００６】
また、梱包箱にハニカム状の梱包材を組み込み、伸縮性を利用して梱包材を一体で折り畳むことのできる梱包箱が、提案されている(例えば、特許文献３を参照)。
【０００７】
この公報に提案されている梱包箱は、確かにコンパクトになるが、何度も開閉を繰り返すと、梱包材であるハニカム部の接着が外れたり、あるいは、ハニカム部が破損して緩衝性能が悪くなると言う問題点を有しており、斯かる提案を採用し難い面がある。
【０００８】
【特許文献１】特許第３１４６１２２号公報
【特許文献２】特開２００１−２０６５号公報
【特許文献３】特開平７−２０５９６６号公報
【発明の開示】
【発明が解決しようとする課題】
【０００９】
上述の通り、天面、底面及び両側面が一体となった梱包箱の保管においては、梱包材を梱包箱と共に一括して保管出来ないため、梱包材を紛失し易いと言う問題点、及び、当該梱包箱の保管スペースがかさばると言う問題点が、現在なお解決すべき技術的課題として存在している。
【００１０】
本発明は斯かる技術的状況を克服すべく成されたものであり、梱包材と梱包箱とを一体で保管可能として梱包材の紛失を防止でき、且つ、最低限のスペースで保管できる梱包箱を提供することを目的とする。
【課題を解決するための手段】
【００１１】
本発明の主題に係る梱包箱は、天面、底面及び側面が一体的に形成されており、且つ、梱包材で保護された製品を収容するための梱包箱であって、前記天面及び前記底面の各々は外フラップ及び内フラップから成り、前記側面中、前記外フラップと一体となった対向する２長側壁の各々と、各長側壁と一体となった天面用外フラップ及び底面用外フラップとには、前記梱包材が前記梱包箱の中の所定位置に配置された際の、前記内フラップの一方から離れた側の前記梱包材の端部位置に沿って形成された第１罫線と、前記梱包材が前記梱包箱の中の所定位置に配置された際の、前記内フラップの他方から離れた側の前記梱包材の端部位置に沿って形成された第２罫線と、前記第１罫線と前記第２罫線との中央に沿って形成された第３罫線とが、それぞれ配設されていることを特徴とする。
【００１２】
以下、この発明の主題の様々な具体化を、添付図面を基に、その効果・利点と共に、詳述する。
【発明の効果】
【００１３】
本発明の主題によれば、梱包箱に設けられた第１乃至第３罫線を折り曲げて梱包箱の天面、側面及び底面を変形させることにより、梱包材に合わせた大きさに梱包箱を変化させることが出来る。これにより、購入者は、最低限のスペースで梱包箱と梱包材とを保管することが出来る。又、梱包材が梱包箱の中に保管されるため、梱包材の紛失を防止することが出来る。
【発明を実施するための最良の形態】
【００１４】
（実施の形態１）
図１は、この発明の実施の形態１に係る梱包箱１の、製品４を取り出す前の状態を示す斜視図である。梱包箱１は、段ボール等の梱包用板材を折り曲げることにより組み立てられるものである。梱包箱１は、例えば略直方体状であり、略長方形の底面３０を有している。底面３０の２つの長辺に沿って長側壁３ａ，３ｂ（長側面とも称す）が形成され、底面３０の２つの短辺に沿って短側壁３ｃ，３ｄ（短側面とも称す）が形成されている。長側壁３ａ，３ｂの上方にそれぞれ連続して、外フラップ(蓋体：外側蓋体)３１，３２が形成されている。又、短側壁３ｃ、３ｄの上方にそれぞれ連続して、内フラップ(内側蓋体)３３，３４が形成されている。即ち、梱包箱１の天面は、天面用外フラップ３１，３２と、天面用内フラップ３３，３４とから成る。又、梱包箱１の底面３０も、上部の天面と同様に、底面用外フラップ３１，３２（図１では図示せず）及び底面用内フラップ３３，３４（図１では図示せず）で形成されている。この様に、梱包箱１は、天面、底面及び側面が一体的に形成されており、且つ、梱包材２で保護された製品４を収容するためのものであって、天面及び底面の各々は外フラップ３１，３２及び内フラップ３３，３４から成る。
【００１５】
図１に例示する様に、梱包箱１の内側には、梱包材２を介して、製品４が収容されている。
【００１６】
図２は、梱包箱１から図１の製品４を取り出した後の、梱包箱１の状態を示す斜視図である。梱包箱１の長側壁３ａ，３ｂ並びに各長側壁と繋がった天面及び底面の各々の外フラップ３１，３２には、梱包材２の配置位置に合わせた位置と、それらの位置の中央とに、谷側に向けて折り曲げ可能な複数の罫線１１が形成されている。ここでは、短側壁３ｃ，３ｄと内フラップ３３，３４とには、罫線は設けられていない。
【００１７】
より具体的には、（１）梱包箱１の側面中、外フラップ３１，３２と一体となった対向する２長側壁３ａ，３ｂの各々と、各長側壁３ａ，３ｂと一体となった天面用外フラップ３１，３２及び底面用外フラップ３１，３２とには、一方の梱包材２が梱包箱１内の所定位置に配置された際の、対応する一方の内フラップ３３から離れた側の当該梱包材２の端部位置に沿って、第１罫線１１が形成されている。即ち、第１罫線１１は、谷側に折り曲げ可能な罫線と成る様に、長側壁３ａ，３ｂの内面上に梱包材２の上記端部位置に沿って形成された罫線部１１Ａ１と、外フラップ３１，３２の外面上に当該外フラップを内側に向けて折り曲げた際に罫線部１１Ａ１と重なる様に形成された罫線部１１Ａ２とから成る。
【００１８】
同様に、（２）２長側壁３ａ，３ｂの各々と、各長側壁３ａ，３ｂと一体となった天面用外フラップ３１，３２及び底面用外フラップ３１，３２とには、他方の梱包材２が梱包箱１内の所定位置に配置された際の、対応する他方の内フラップ３４から離れた側の当該梱包材２の端部位置に沿って、第２罫線１１が形成されている。即ち、第２罫線１１は、谷側に折り曲げ可能な罫線と成る様に、長側壁３ａ，３ｂの内面上に梱包材２の上記端部位置に沿って形成された罫線部１１Ｂ１と、外フラップ３１，３２の外面上に当該外フラップを内側に向けて折り曲げた際に罫線部１１Ｂ１と重なる様に形成された罫線部１１Ｂ２とから成る。
【００１９】
更に、（３）２長側壁３ａ，３ｂの各々と、各長側壁３ａ，３ｂと一体となった天面用外フラップ３１，３２及び底面用外フラップ３１，３２とには、第１罫線１１（１１Ａ１，１１Ａ２）と第２罫線１１（１１Ｂ１，１１Ｂ２）との中央に沿って形成された第３罫線１１が、配設されている。ここでも、第３罫線１１は、谷側に折り曲げ可能な罫線と成る様に、長側壁３ａ，３ｂの外面上に梱包材２の上記両端部位置間の中央位置に沿って形成された罫線部１１Ｃ１と、外フラップ３１，３２の内面上に当該外フラップを内側に向けて折り曲げた際に罫線部１１Ｃ１と重なる様に形成された罫線部１１Ｃ２とから成る。
【００２０】
尚、各罫線１１を梱包箱１の波目と平行に入れることにより、梱包箱１の強度が損なわれることが防止される。
【００２１】
図３は、図２の梱包材２を取り出した上で各罫線１１を折り曲げた後の梱包箱１の状態を示す斜視図である。罫線１１に沿って梱包箱１を折り曲げる方法は、次の通りである。
【００２２】
先ず、梱包材２を取り出した後に、天面及び底面の各外フラップ３１，３２を長側壁３ａ，３ｂの内側へ予め折り曲げておく。その上で、長側壁３ａ，３ｂ及び折り曲げられた状態の外フラップ３１，３２を同時に第１乃至第３罫線の各罫線１１から折り曲げる。この折り曲げにより、梱包箱１の長側壁３ａ，３ｂ及び外フラップ３１，３２の長辺が短くなる。この段階では、図３に例示する通り、天面及び底面の各内フラップ３３，３４は露出している。そこで、長側壁３ａ，３ｂの折り曲げられた部分の面とそれに対応する短側壁３ｃ，３ｄとで挟まれて成る各空間内に各梱包材２を配置した上で、例えばテープやプラスチックの係止部材等で以って、天面及び底面の各々の内フラップ３３，３４同士をお互いに止める。これにより、梱包箱１は図４に示す閉じた状態となり、梱包材２は図４に示す状態に折り込まれた梱包箱１内に閉じ込められることとなって、梱包材２が梱包箱１より脱落することがない。
【００２３】
尚、本実施の形態では、内フラップ３３，３４の短辺長Ｌ１（図２）は、対応する梱包材２の厚みＬ２（図２）以上に設定されている。
【００２４】
以上に説明した様に、本実施の形態に係る梱包箱１を採用するならば、製品４を取り出した後に、梱包箱１の寸法を梱包材２の大きさに合わせて小さくすることが出来、最低限のスペースで保管することが可能な梱包箱１を提供することが出来ると共に、梱包材２の紛失をも防ぐことが出来る。
【００２５】
（変形例１）
上述した実施の形態１では、内フラップ３３，３４を例えばテープやプラスチックの係止部材等でお互いに止めていたが、図５の平面図に示す様に、お互いが重なる様な長さに設定された内フラップ３３，３４に設けた、例えば半円状の切り欠き１２，１３で以って内フラップ３３，３４同士を引っ掛ける構造としても良い。この様にすれば、テープやプラスチックの係止部材等の部材が不必要となる。
【００２６】
（変形例２）
又、図６の平面図に示す様に、上述した例えば半円状の切り欠き１２の代わりに、片側を直線状の切り欠き１４に設定しても良い。
【００２７】
（実施の形態２）
図７は、本実施の形態に係る梱包箱１を罫線１１に沿って折り込んだ際の状態を示す斜視図であり、実施の形態１に於ける図３に対応するものである。実施の形態１に係る梱包箱１では外フラップ３１，３２を長側壁３ａ，３ｂの内側に折り曲げていたのに対して、実施の形態２では、罫線１１から折り曲げた部分を倒すことにより、実施の形態１と同様の効果を得ることが出来る。
【００２８】
即ち、本実施の形態に於いては、第１罫線１１及び第２罫線１１の各々は、対応する長側壁３ａ，３ｂの裏面上と当該長側壁３ａ，３ｂと一体となった天面用外フラップ３１，３２及び底面用外フラップ３１，３２の各々の裏面上とに、一直線状に形成されている。他方、第３罫線１１は、対応する長側壁３ａ，３ｂの表面上と当該長側壁３ａ，３ｂと一体となった天面用外フラップ３１，３２及び底面用外フラップ３１，３２の各々の表面上とに、一直線状に形成されている。
【００２９】
この様に、第１乃至第３罫線１１の各々が底面から側面を経由して天面まで一直線に形成されているので、図７の様に梱包箱１を折り込んだ状態においては、実施の形態１とは逆に、内フラップ３３，３４を内蓋に、外フラップ３１，３２を外蓋に各々利用して、折り込んだ状態の梱包箱１を梱包材２と共に閉じることが可能となる。即ち、実施の形態１では内フラップ３３，３４で天面及び底面の蓋をしていたが、実施の形態２では外フラップ３１，３２で天面及び底面の蓋をすることが出来る。
【００３０】
この事は、内フラップ３３，３４の短辺長Ｌ１（図２）を自由に設定出来ることを意味する。即ち、梱包箱１を図４の様に閉じた状態にするに当たっては内フラップ３３，３４の短辺長Ｌ１は関係しなくなるので、内フラップ３３，３４の短辺長Ｌ１の設定に関して、実施の形態１の様にＬ１≧Ｌ２と言う関係に拘束されなくなる。
【００３１】
（実施の形態３）
尚、実施の形態１及び実施の形態２では長側面を折り曲げる構造であったが、これに代えて、短側面に罫線１１を設定した上で短側面を同様に折り曲げることとしても良い。
【００３２】
又、実施の形態２又は実施の形態１と実施の形態２を組み合わせれば、長側面及び短側面の両方を短くすることが出来る。
【００３３】
例えば、側面中、内フラップ３３，３４と一体となった対向する２短側壁３ｃ，３ｄの各々と、各短側壁３ｃ，３ｄと一体となった天面用内フラップ３３，３４及び底面用内フラップ３３，３４とにも、（１）第１罫線１１に相当する短側壁側第１罫線と、（２）第２罫線１１に相当する短側壁側第２罫線と、（３）第３罫線１１に相当する短側壁側第３罫線とを、配設しても良い。この場合、短側壁３ｃ，３ｄ側の第１乃至第３罫線の構造として、実施の形態２で既述したものを適用するのが好ましい。この様な構造は、梱包箱の４隅にクッション等の４個の梱包材がそれぞれ配置される場合に適している。
【００３４】
（付記）
以上、本発明の実施の形態を詳細に開示し記述したが、以上の記述は本発明の適用可能な局面を例示したものであって、本発明はこれに限定されるものではない。即ち、記述した局面に対する様々な修正や変形例を、この発明の範囲から逸脱することの無い範囲内で考えることが可能である。
【図面の簡単な説明】
【００３５】
【図１】本発明の実施の形態１に係る梱包箱の、製品を取り出す前の状態を示す斜視図である。
【図２】本発明の実施の形態１に係る梱包箱の、製品を取り出した後の状態を示す斜視図である。
【図３】本発明の実施の形態１に係る梱包箱の、罫線を折り曲げた後の状態を示す斜視図である。
【図４】本発明の実施の形態１に係る梱包箱の、罫線を折り曲げた後に、梱包材を入れて内フラップを閉めたときの状態を示す斜視図である。
【図５】本発明の実施の形態１の変形例１に係る梱包箱の要部を拡大して示す平面図である。
【図６】本発明の実施の形態１の変形例２に係る梱包箱の要部を拡大して示す平面図である。
【図７】本発明の実施の形態２に係る梱包箱の、罫線を折り曲げた後の状態を示す斜視図である。
【符号の説明】
【００３６】
１  梱包箱、２  梱包材、３ａ，３ｂ  長側壁（長辺側の側面）、３ｃ，３ｄ  短側壁（短辺側の側面）、４  製品、５  空間、１１  罫線、１２，１３  半円状の切り欠き、１４  直線状の切り欠き、３０  底面、３１，３２  外フラップ、３３，３４  内フラップ。
【図１】
2006096379.tif 000003
【図２】
2006096379.tif 000004
【図３】
2006096379.tif 000005
【図４】
2006096379.tif 000006
【図５】
2006096379.tif 000007
【図６】
2006096379.tif 000008
【図７】
2006096379.tif 000009